【事件の表示】
　特許第２７３２５２０号「異常検出装置」の請求項に係る特許に対する特許異議の申立てについて、次のとおり決定する。
【結　論】
　訂正を認める。
　本件特許異議の申立てを却下する。
【理　由】
１）手続きの経緯
　本件特許第２７３２５２０号発明は、平成８年３月８日に特許出願され、平成９年１２月２６日にその特許権の設定登録がなされ、平成１０年９月２９日に特許異議申立人尾島浩敬より特許異議の申立てがなされ、その後特許権者より平成１１年３月１９日付で訂正請求がなされ、更に平成１１年１０月１日付で訂正請求の補正がなされた。
２）補正について
　平成１１年１０月１日付訂正請求の補正は、手続補正書を提出して、平成１１年３月１９日に提出した訂正請求書及び該訂正請求書に添付した訂正明細書を補正するものであり、訂正明細書の特許請求の範囲を減縮するとともに、該減縮に伴って不明確となる明細書の記載を明瞭にするものであって、適法になされたものである。
３）訂正の適否についての判断
（１）訂正の内容
ア．特許明細書の特許請求の範囲請求項１乃至３及び請求項７を削除して、特許請求の範囲を次の如く訂正する。（訂正事項ａ）
「【特許請求の範囲】　
　【請求項１】　基板上に複数のネジを介してシールドケースを固定し、該シールドケース内で基板上に実装されたＲＯＭの取換え異常を検出する異常検出装置において、
　上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　　【請求項２】　基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、
　ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　　【請求項３】　上記ソケットピンを構成する一対のバネ端子は、
　上記ＲＯＭソケットの上記ＲＯＭ端子が挿入されるＲＯＭ端子挿入孔内に互いに離隔して対向配置され、上記ＲＯＭ端子の非挿入時には非接触状態とされている
　ことを特徴とする請求項２に記載の異常検出装置。」
イ．特許明細書の段落０００８、０００９、００１０、００１４、００１５、００１６、００１７、００２１を削除する。（訂正事項ｂ）
ウ．特許明細書中の段落００１１、００１２、００１３、００１８を以下の如く訂正する。（訂正事項ｃ）
「　【００１１】
　【課題を解決するための手段】　
　上記目的を達成するために、請求項１の本発明は、基板上に複数のネジを介してシールドケースを固定し、該シールドケース内で基板上に実装されたＲＯＭの取換え異常を検出する異常検出装置において、上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする。
　【００１２】
　請求項２の本発明は、基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする。
　　【００１３】
　請求項３の本発明は、請求項２の発明において、上記ソケットピンを構成する一対のバネ端子は、上記ＲＯＭソケットの上記ＲＯＭ端子が挿入されるＲＯＭ端子挿入孔内に互いに離隔して対向配置され、上記ＲＯＭ端子の非挿入時には非接触状態とされていることを特徴とする。
　　【００１８】
　この発明では、基板上に複数のネジを介してシールドケースを固定し、該シールドケース内で基板上に実装されたＲＯＭの取換え異常を検出する異常検出装置において、上記断線情報発生手段は、上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生するようにすることができる。」．
（２）訂正の目的の適否及び拡張・変更の存否
ア．上記（１）のアの訂正事項ａは、特許請求の範囲の減縮を目的とするものであり、また、願書に最初に添付した明細書又は図面に記載した事項の範囲内の訂正であり、実質上特許請求の範囲を拡張し又は変更するものではない。さらに、訂正後の特許請求の範囲に記載されている事項により特定される発明は特許出願の際独立して特許を受けることができるものである。
イ．上記（１）のイの訂正事項ｂ及びウの訂正事項ｃは、何れも特許請求の範囲の訂正に対応して、特許明細書の記載をこれと整合するように訂正するものであるから、明りょうでない記載の釈明を目的とするものであり、適正な訂正である。
（３）むすび
　以上のとおりであるから、上記訂正請求は、特許法第１２０条の４第２項及び同条第３項で準用する第１２６条第２乃至４項の規定に適合するので、当該訂正を認める。
４）特許異議の申立てについての判断
　本件特許の訂正前の請求項１乃至３に係る発明は、訂正の結果削除され、特許異議の申立ての対象が存在しない。
　よって、結論のとおり決定する。
【異議決定日】
平成１２年１月２７日（２０００．１．２７）
【訂正の要旨】
１．訂正の要旨
１）本件特許の各請求項に係る発明
　本件特許明細書（以下、「本件明細書」という。）における特許請求の範囲の請求項１乃至７に係る記載
　「【請求項１】ＲＯＭの取換え異常を検出する異常検出装置において、上記ＲＯＭが取換えられようとすると断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする異常検出装置。
　【請求項２】ＲＯＭの取換え異常を検出する異常検出装置において、上記ＲＯＭが取換えられようとすると断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて異常情報を出力する異常情報出力手段と、上記異常情報出力手段から出力された異常情報に基づいて警報を発生する警報発生手段と、を有することを特徴とする異常検出装置。
　【請求項３】メイン回路内のＲＯＭの取換え異常を検出する異常検出装置において、上記ＲＯＭが取換えられようとすると断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて異常情報を出力する異常情報出力手段と、上記異常情報出力手段から出力された異常情報に基づいて上記メイン回路を短絡させる短絡手段と、を有することを特徴とする異常検出装置。
　【請求項４】基板上に複数のネジを介してシールドケースを固定し、該シールドケース内で基板上に実装されたＲＯＭの取換え異常を検出する異常検出装置において、上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする異常検出装置。
　【請求項５】基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする異常検出装置。
　【請求項６】上記ソケットピンを構成する一対のバネ端子は、上記ＲＯＭソケットの上記ＲＯＭ端子が挿入されるＲＯＭ端子挿入孔内に互いに離隔して対向配置され、上記ＲＯＭ端子の非挿入時には非接触状態とされていることを特徴とする請求項５に記載の異常検出装置。
　【請求項７】上記異常検出手段は、上記断線情報発生手段で発生した断線情報を検出する断線情報検出手段と、上記断線情報検出手段で検出された断線情報を保持する断線情報保持手段と、上記断線情報保持手段に保持された断線情報を出力する断線情報出力手段と、内部の電源をバックアップする電源バックアップ手段と、を有することを特徴とする請求項１乃至請求項６に記載の異常検出装置。」を特許請求の範囲の減縮を目的として、
　「【請求項１】　基板上に複数のネジを介してシールドケースを固定し、該シールドケース内で基板上に実装されたＲＯＭの取換え異常を検出する異常検出装置において、
　上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　【請求項２】　基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、
　ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　【請求項３】　上記ソケットピンを構成する一対のバネ端子は、
　上記ＲＯＭソケットの上記ＲＯＭ端子が挿入されるＲＯＭ端子挿入孔内に互いに離隔して対向配置され、上記ＲＯＭ端子の非挿入時には非接触状態とされている
　ことを特徴とする請求項２に記載の異常検出装置。」と訂正する。
２）明りょうでない記載の釈明を目的として、本件明細書の段落０００８、０００９、００１０、００１４、００１５、００１６、００１７、００２１を削除する。
３）明りょうでない記載の釈明を目的として、本件明細書の段落００１１、００１２、００１３、００１８を以下の如く訂正する。
「　【００１１】
　【課題を解決するための手段】
　上記目的を達成するために、請求項１の本発明は、基板上に複数のネジを介してシールドケースを固定し、該シールドケース内で基板上に実装されたＲＯＭの取換え異常を検出する異常検出装置において、上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする。
　【００１２】
　請求項２の本発明は、基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、上記断線情報発生手段で発生した断線情報に基づいてＲＯＭの取換え異常を検出する異常検出手段と、上記異常検出手段で検出されたＲＯＭの取換え異常に基づいて外部に異常情報を出力する異常情報出力手段と、を有することを特徴とする。
　【００１３】
　請求項３の本発明は、請求項２の発明において、上記ソケットピンを構成する一対のバネ端子は、上記ＲＯＭソケットの上記ＲＯＭ端子が挿入されるＲＯＭ端子挿入孔内に互いに離隔して対向配置され、上記ＲＯＭ端子の非挿入時には非接触状態とされていることを特徴とする。
　【００１８】
　この発明では、基板上に複数のネジを介してシールドケースを固定し、該シールドケース内で基板上に実装されたＲＯＭの取換え異常を検出する異常検出装置において、上記断線情報発生手段は、上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生するようにすることができる。」
（５４）【発明の名称】
異常検出装置
（５７）【特許請求の範囲】
　【
請求項１
　上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　【
請求項２
　ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする異常検出装置。
　【
請求項３
　上記ＲＯＭソケットの上記ＲＯＭ端子が挿入されるＲＯＭ端子挿入孔内に互いに離隔して対向配置され、上記ＲＯＭ端子の非挿入時には非接触状態とされている
　ことを特徴とする
請求項２
【発明の詳細な説明】
　【０００１】
　【発明の属する技術分野】
　本発明は他人の違法なＲＯＭの取換えを検出する異常検出装置に関し、特にパチンコ台の出玉を制御する制御プログラムが格納されたＲＯＭの違法な取換えを検出する異常検出装置に関する。
　【０００２】
　【従来の技術】
　従来、例えば、パチンコ台においては、その出玉数は各パチンコ台に内蔵された出玉制御装置によって制御されている。
　【０００３】
　今、これを図６を参照しながら説明すると、パチンコ台１の裏面側１Ｂには、出玉制御装置を構成するメイン回路２がシールドケース４で覆われて図示しない基板上に装着されており、メイン回路２は、ＣＰＵ等を中心として構成されるとともに出玉制御の制御プログラムが格納されたＲＯＭ３が含まれる。
　【０００４】
　ここで、シールドケース４は例えばその４隅に捩じ込まれた４本のネジ４ａ、４ｂ、４ｃ、４ｄによって基板上に取り付けられ、内部のメイン回路２を保護している。
　【０００５】
　【発明が解決しようとする課題】
　しかしながら、上記のごとき従来の出玉制御装置では、出玉を制御するメイン回路２は、シールドケース４によって覆われて保護されているものの、シールドケース４は例えばその４隅に捩じ込まれた４本のネジによって基板上に取り付けられているだけである。
　【０００６】
　従って、第三者がネジを抜いてシールドケース４を取り外せば、メイン回路２は容易に外部に露出する。従って、第三者はメイン回路２に含まれるＲＯＭ３も容易に他のＲＯＭと取換えることができ、装置本来が目的とする正常な出玉制御ができないという不具合があった。
　【０００７】
　この発明は、上記のごとき従来の不具合に鑑みてなされたもので、その目的とするところは、例えばパチンコ台の出玉を制御する制御プログラムが格納されたＲＯＭの第三者による違法な取換えを容易に検出することのできる異常検出装置を提供することにある。
　【００１１】
　【
課題を解決するための手段
　
上記目的を達成するために、請求項１の本発明は、
　基板上に複数のネジを介してシールドケースを固定し、該シールドケース内で基板上に実装されたＲＯＭの取換え異常を検出する異常検出装置において、
　上記複数のネジを導電体で構成するとともに各ネジ間を導線で接続し、シールドケースが基板上に固定された状態では各ネジを介して閉ループを形成するとともに、ＲＯＭの取換えのために上記閉ループを形成するネジが引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする。
　【００１２】
　
請求項２の本発明は、
　基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、
　ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生する断線情報発生手段と、
　上記断線情報発生手段で発生した断線情報に基づいてＲＯＭの取換え異常を検出する異常検出手段と、
　上記異常検出手段で検出されたＲＯＭの取換え異常に基づいて外部に異常情報を出力する異常情報出力手段と、
　を有することを特徴とする。
　【００１３】
　
請求項３の本発明は、請求項２の発明において、
　上記ソケットピンを構成する一対のバネ端子は、
　上記ＲＯＭソケットの上記ＲＯＭ端子が挿入されるＲＯＭ端子挿入孔内に互いに離隔して対向配置され、上記ＲＯＭ端子の非挿入時には非接触状態とされている
　ことを特徴とする。
　【００１８】
　
この発明では、
　【００１９】
　また、この発明では、基板上にＲＯＭソケットを固定し、該ＲＯＭソケットに設けられた一対のバネ端子よりなるソケットピンにＲＯＭ端子を挿入することによって基板上に実装されたＲＯＭの取換え異常を検出する異常検出装置において、上記断線情報発生手段は、ＲＯＭソケットにＲＯＭが挿入された状態では、上記ソケットピンを構成する一対のバネ端子と上記ＲＯＭ端子で閉ループを形成するとともに、上記ＲＯＭの取換えのために上記ＲＯＭ端子が引き抜かれると上記閉ループの断線情報を発生するようにすることができる。
　【００２０】
　この場合、上記ソケットピンを構成する一対のバネ端子は、上記ＲＯＭソケットの上記ＲＯＭ端子が挿入されるＲＯＭ端子挿入孔内に互いに離隔して対向配置され、上記ＲＯＭ端子の非挿入時には非接触状態とすることができる。
　【００２２】
　【発明の実施の形態】
　以下、本発明に係る異常検出装置の実施の形態を図面に基づいて説明する。
　【００２３】
　なお、以下の説明においても、パチンコ台の出玉を制御する制御プログラムが格納されたＲＯＭの第三者による違法な取換えを検出することのできる異常検出装置について説明する。また、説明の便宜上、図６に示した従来例と同じ動作をする部分には同一符号を付して説明する。
　【００２４】
　図１は、本発明に係る異常検出装置の第１の実施形態の概略構成を示すブロック図である。図１において、第１の実施形態の異常検出装置は、断線発生機構１０−１と異常検出部２０−１とメイン回路２−１を主体として構成され、異常検出部２０−１は、断線検出部２１、データ保持部２２、出力部２３、内蔵電池２４を具備し、メイン回路２−１は警報回路３０を具備している。
　【００２５】
　ここで、断線発生機構１０−１は、メイン回路２−１を構成するＲＯＭの第三者による違法な取換えを断線情報として発生させる機構で、その断線情報は異常検出部２０−１を構成する断線検出部２１のＡ入力およびＢ入力として送出するが、その詳細は後に詳述する。
　【００２６】
　異常検出部２０−１は、上記断線発生機構１０−１から断線情報が送出された場合、ＲＯＭの取換え異常を検出し、その検出結果をメイン回路２−１に報知するものである。
　【００２７】
　ここで、断線検出部２１は、上記断線発生機構１０−１から送出されるＡ入力とＢ入力に基づいて、上記断線発生機構１０−１内で発生した断線情報を検出するものである。
　【００２８】
　データ保持部２２は、上記断線検出部２１で検出された断線情報を保持するメモリである。
　【００２９】
　出力部２３は、メイン回路２−１の起動時、メイン回路２−１からメイン電源の供給を受けて上記データ保持部２２にアクセスし、データ保持部２２に断線情報が保持されている場合は、該断線情報をメイン回路２−１に報知するとともに、断線情報が保持されていない場合は、その旨の情報をメイン回路２−１に報知する。
　【００３０】
　なお、本実施形態では、データ保持部２２に断線情報が保持されていない正常時は、同図に示すごときパルスの立ったパルス波２５ａが出力部２３から出力されるが、データ保持部２２に断線情報が保持されている断線発生時は、パルスの立たない平坦波２５ｂが出力部２３から出力される。
　【００３１】
　内蔵電池１４は、異常検出部２０−１全体をバックアップする電源で、特に本実施形態で検出しようとする第三者による不法なＲＯＭの取換えは、夜間等のメイン電源が投入されていない間に起きる可能性が高いため、内蔵電池１４は常時異常検出部２０−１全体をバックアップする。
　【００３２】
　メイン回路２−１は、図６に示したメイン回路２と同様、パチンコ台の出玉を制御するもので、ＣＰＵや出玉を制御する制御プログラムが格納されたＲＯＭ等を中心として構成されているが（図１においてはＣＰＵやＲＯＭの図示は省略している）、本実施形態では特に警報回路３０を備えている。
　【００３３】
　警報回路３０は、異常検出部２０−１から上記ＲＯＭの不法な取換え情報が送出された場合、警報を発するものである。
　【００３４】
　次に、図２を参照しながら、図１に示した断線発生機構１０−１の詳細を説明する。図２（ａ）はメイン回路２−１等が収容されるシールドケース４の断面図、図２（ｂ）はその平面図であるが、シールドケース４は基板５を挟んで上部ケース４Ａと下部ケース４Ｂより構成され、上部ケース４Ａは４本のネジ４ａ、４ｂ、４ｃ、４ｄによって基板５に取り付けられ、基板５上には、ＲＯＭ３等を含むメイン回路２−１と断線検出部２１等を含む異常検出部２０−１が実装されている。
　【００３５】
　ところで、第三者が違法にメイン回路２−１に実装されたＲＯＭ３を取換えようとすると、必ず、ネジ４ａ、４ｂ、４ｃ、４ｄを抜いて上部ケース４Ａを取り外さなければならない。そこで、図２に示す断線発生機構１０−１では、ネジ４ａと４ｂを直接導線１１ａで接続し、ネジ４ａと断線検出部２１を導線１１ｂで接続し、ネジ４ｂと断線検出部２１を導線１１ｃで接続し、これによって導線１１ａ、ネジ４ａ、導線１１ｂ、導線１１ｃ、ネジ４ｂで断線発生機構１０−１を構成し、断線発生機構１０−１はネジ４ａ、４ｂが差し込まれた状態では断線検出部２１を介して閉ループを構成する。
　【００３６】
　そして、導線１１ｂからは断線検出部２１にＡ入力があり、導線１１ｃからは断線検出部２１にＢ入力があるが、上部ケース４Ａが基板５に取り付けられて、ネジ４ａ、４ｂが差し込まれている状態では、断線検出部２１は断線情報を検出しない。
　【００３７】
　一方、第三者が違法にメイン回路２−１に実装されたＲＯＭ３を取換えようとしてネジ４ａ、４ｂを抜くと、導線１１ａと導線１１ｂの間に断線状態が発生し、導線１１ａと導線１１ｃの間に断線状態が発生する。従って、導線１１ｂからのＡ入力と導線１１ｃからのＢ入力によって断線検出部２１は断線発生機構１０−１での断線発生を検出する。
　【００３８】
　すると、データ保持部２２は断線検出部２１で検出した断線検出情報を保持し、メイン回路２−１側からメイン電源の投入があると、出力部２３からは正常時のパルス波２５ａとは異なる平坦波２５ｂがメイン回路２−１側に出力され、これによって、警報回路３０から所定の警報が出力されることになる。
　【００３９】
　このように、本実施形態では、第三者が違法にメイン回路２−１に実装されたＲＯＭ３を取換えようとすると、必ず、ネジ４ａ、４ｂ、４ｃ、４ｄを抜いて上部ケース４Ａを取り外さなければならないことに着目し、導線１１ａ、ネジ４ａ、導線１１ｂ、導線１１ｃ、ネジ４ｂで断線発生機構１０−１を構成し、断線発生機構１０−１はネジ４ａ、４ｂが差し込まれた状態では断線検出部２１を介して閉ループを構成するとともに、第三者が違法にメイン回路２−１に実装されたＲＯＭ３を取換えようとしてネジ４ａ、４ｂを抜くと断線発生機構１０−１に断線状態を発生させ、断線検出部２１は断線発生機構１０−１での断線発生を検出できるようにした。
　【００４０】
　このため、本実施形態では、第三者の違法なＲＯＭ３の取換えを確実に検出することができるという効果を有する。
　【００４１】
　なお、本実施形態では、ネジ４ａ、４ｂを利用して断線発生機構１０−１を構成したが、その他のネジの組み合わせでも同様な断線発生機構を構成することができることは勿論である。
　【００４２】
　次に、本発明に係る異常検出装置の第２の実施形態を説明する。なお、第２の実施形態が上記第１の実施形態と異なるのは図１に示した断線発生機構１０−１の構成だけである。従って、以下の説明では、上記第１の実施形態と同じ動作をする部分については同一符号を付して説明し、第２の実施形態の断線発生機構の構成を中心に、図３および図４をは参照しながら説明する。
　【００４３】
　ところで、メイン回路２−１に実装されるＲＯＭ３は、図３に示すごとく、基板５上に実装されたＲＯＭソケット１２に取り付けられる。この取り付けば、ＲＯＭ３の両端にＬ時状に屈曲した一対のＲＯＭ端子１３ａ，１３ｂを設け、このＲＯＭ端子１３ａ，１３ｂをＲＯＭソケット１２に設けた一対のソケットピン１４ａ，１４ｂに差し込むことによって行われている。
　【００４４】
　従って、図３に示すごとく、ＲＯＭ３がＲＯＭソケット１２に取り付けられた状態では、例えばＲＯＭ３のＲＯＭ端子１３ａとＲＯＭソケット１２のソケットピン１４ａは接触して、両者は電気的には導通状態にあり、反対にＲＯＭ３がＲＯＭソケット１２から抜き取られるとＲＯＭ３のＲＯＭ端子１３ａとＲＯＭソケット１２のソケットピン１４ａは非接触となる。
　【００４５】
　そして、第三者が違法にメイン回路２−１に実装されたＲＯＭ３を取換えようとすると、必ず、ＲＯＭソケット１２からＲＯＭ３を抜き取らなければならない。
　【００４６】
　そこで、ＲＯＭ３のＲＯＭ端子１３ａとＲＯＭソケット１２のソケットピン１４ａで断線発生機構１０−２を構成し、さらにＲＯＭソケット１２内に異常検出部２０−１を設けたのが第２の実施形態である。
　【００４７】
　なお、図３に示した実施形態では、図３において左側部分のＲＯＭ３のＲＯＭ端子１３ａとＲＯＭソケット１２のソケットピン１４ａで断線発生機構１０−１−２を構成したが、図３において右側部分のＲＯＭ３のＲＯＭ端子１３ｂとＲＯＭソケット１２のソケットピン１４ｂで断線発生機構を構成してもよいし、両方に断線発生機構を設けてもよい。
　【００４８】
　図４は、図３において左側部分の、断線発生機構１０−２の付近の詳細図である。同図はＲＯＭ３がＲＯＭソケット１２から抜き取られた状態を示しているが、ＲＯＭソケット１２のＲＯＭ端子１３ａの挿入部分にはＲＯＭ端子挿入孔１５が形成され、このＲＯＭ端子挿入孔１５内にはソケットピン１４ａが設けられているが、ソケットピン１４ａは、ＲＯＭ端子１３ａの非挿入時は一定の間隔をおいて離隔した一対のバネ端子１４ａ−１と１４ａ−２より構成されている。
　【００４９】
　ここで、、一側のバネ端子１４ａ−１は、くの字状に屈曲してＲＯＭ端子挿入孔１５内の一側側壁に配設され、出力端１６ａは異常検出部２０−１の断線検出部２１に接続されて、断線検出部２１にＡ入力を与えている。
　【００５０】
　また、他側のバネ端子１４ａ−２も、くの字状に屈曲してＲＯＭ端子挿入孔１５内の他側側壁に配設され、一側出力端１６ｃは基板５を貫通してメイン回路２−１の図示しないバス回路等に接続されるとともに、他側出力端１６ｂは異常検出部２０−１の断線検出部２１に接続されて、断線検出部２１にＢ入力を与えている。
　【００５１】
　従って、図３に示すごとく、ＲＯＭ３がＲＯＭソケット１２に取り付けられた状態ではＲＯＭ３のＲＯＭ端子１３ａとＲＯＭソケット１２のソケットピン１４ａは接触して、バネ端子１４ａ−１、ＲＯＭ端子１３ａ、バネ端子１４ａ−２で構成される断線発生機構１０−２は、断線検出部２１を介して閉ループを構成する。
　【００５２】
　そして、図３に示すごとく、ＲＯＭ３がＲＯＭソケット１２に取り付けられた状態では、断線検出部２１は断線情報を検出しない。
　【００５３】
　一方、第三者が違法にメイン回路２−１に実装されたＲＯＭ３を取換えようとしてＲＯＭ３をＲＯＭソケット１２から抜くと、図４に示すごとく、バネ端子１４ａ−１とバネ端子１４ａ−２の間が非接触となって両者の間に断線状態が発生する。従って、バネ端子１４ａ−１からのＡ入力、バネ端子１４ａ−２からのＢ入力によって断線検出部２１は断線発生機構１０−２での断線発生を検出する。
　【００５４】
　なお、ＲＯＭ３がＲＯＭソケット１２に取り付けられた状態では、ソケットピン１４ａの一側バネ端子１４ａ−１はＲＯＭ端子挿入孔１５内で、図４の点線１７ａの位置にあり、他側バネ端子１４ａ−２は点線１７ｂの位置にあるが、ＲＯＭ３がＲＯＭソケット１２から引き抜かれた状態では、バネ端子１４ａ−１，１４ａ−２はそれぞれ点線１７ｃ，１７ｄの位置、すなわちＲＯＭ端子挿入孔１５の側壁位置に復帰している。
　【００５５】
　断線検出部２１で断線発生機構１０−２での断線発生を検出すると、データ保持部２２は断線検出部２１で検出した断線検出情報を保持し、メイン回路２−１側からメイン電源の投入があると、出力部２３からは正常時のパルス波２５ａとは異なる平坦波２５ｂがメイン回路２−１側に出力され、これによって、警報回路３０から所定の警報が出力されることになる。
　【００５６】
　ところで、第２の実施形態では、異常検出部２０−１はＲＯＭソケット１２内に内蔵したので、異常検出部２０−１は外部からは見えず、第三者は異常検出部２０−１そのものの取り外しまではできない。従って、第１の実施形態に比して、いっそう確実にＲＯＭ３の取換えを検出することができるという効果を有する。
　【００５７】
　なお、第２の実施形態では、図３に示すごとく、同図左側部分のＲＯＭ３のＲＯＭ端子１３ａとＲＯＭソケット１２のソケットピン１４ａで断線発生機構１０−２を構成したが、同図右側部分のＲＯＭ３のＲＯＭ端子１３ｂとＲＯＭソケット１２のソケットピン１４ｂでも同様の断線発生機構を１０−２を構成し、両者のＡＮＤ条件あるいはＯＲ条件で断線発生を検出するようにしてもよい。
　【００５８】
　次に、本発明に係る異常検出装置の第３の実施形態を説明する。なお、説明の便宜上、上記第１の実施形態と同じ動作をする部分には同一符号を付して説明し、重複した説明は省略する。
　【００５９】
　図５は、本発明に係る異常検出装置の第３の実施形態の概略構成を示すブロック図である。
　【００６０】
　図５において、第３の実施形態の異常検出装置は、断線発生機構１０−１、異常検出部２０−２とメイン回路２−２を主体として構成され、異常検出部２０−２は、断線検出部２１、データ保持部２２、出力部２３−２、内蔵電池４４を具備し、メイン回路２−２は短絡回路４０を具備している。
　【００６１】
　ところで、第３の実施形態では、異常検出部２０−２の出力部２３−２は、断線検出部２１で断線発生機構１０−１での断線が検出されない場合、メイン回路２−２を動作させるためのＯＮ信号２６ａをメイン回路２−２に送出するが、断線発生機構１０−１での断線が検出された場合、メイン回路２−２を短絡させるためのＯＦＦ信号２６ｂをメイン回路２−２に送出する。
　【００６２】
　そして、ＯＦＦ信号２６ｂがメイン回路２−２に送出された場合は、メイン回路２−２の短絡回路４０はメイン回路２−２を短絡させ、メイン回路２−２を動作不能とする。
　【００６３】
　なお、第３の実施形態では上記第１の実施形態で使用した断線発生機構１０−１を使用したが、第２の実施形態で使用した断線発生機構１０−２を使用してもよいことは勿論である。
　【００６４】
　この第３の実施形態では、断線発生機構１０−１で断線が検出された場合、メイン回路２−２の短絡回路４０はメイン回路２−２を短絡させる。このため、違法に取換えられたＲＯＭ３の使用を確実に防止することができるという効果を有する。
　【００６５】
　なお、以上の説明では、本発明がパチンコ台の出玉を制御する制御プログラムが格納されたＲＯＭの違法な取換えを検出する場合について説明したが、本発明はその他この種ＲＯＭの違法な取換えの検出にも適用できることは勿論である。
　【００６６】
　【発明の効果】
　以上説明したように、本発明に係る異常検出装置では、ＲＯＭが取換えられようとすると、断線情報発生手段で断線情報を発生させるとともに発生した断線情報に基づいて異常検出手段でＲＯＭの取換え異常を検出し、異常検出手段でＲＯＭの取換え異常が検出されると、異常情報出力手段からは外部に異常情報を出力するようにしたので、例えばパチンコ台の出玉を制御する制御プログラムが格納されたＲＯＭの第三者による違法な取換えを確実に検出することのできるという効果を有する。
【図面の簡単な説明】
　【図１】
　本発明に係る異常検出装置の第１の実施形態の概略構成を示すブロック図。
　【図２】
　図１に示した断線発生機構の説明図。
　【図３】
　本発明に係る異常検出装置の第２の実施形態の概略構成を示すブロック図。
　【図４】
　図３に示した断線発生機構の詳細説明図。
　【図５】
　本発明に係る異常検出装置の第３の実施形態の概略構成を示すブロック図。
　【図６】
　従来において、パチンコ台の裏面側にＲＯＭが取り付けられる場合の説明図。
　【符号の説明】
　１　　パチンコ台
　１Ｂ　　パチンコ台の裏面側
　２　　メイン回路
　２−１　　メイン回路
　２−２　　メイン回路
　３　　ＲＯＭ
　４　　シールドケース
　４Ａ　　上部ケース
　４Ｂ　　下部ケース
　４ａ，４ｂ，４ｃ，４ｄ　　ネジ
　５　　基板
　１０−１　　断線発生機構
　１０−２　　断線発生機構
　１１ａ，１１ｂ，１１ｃ　　導線
　１２　　ＲＯＭソケット
　１３ａ，１３ｂ　　ＲＯＭ端子
　１４ａ，１４ｂ　　ソケットピン
　１４ａ−１，１４ａ−２　　バネ端子
　１５　　ＲＯＭ端子挿入孔
　２０−１　　異常検出部
　２０−２　　異常検出部
　２１　　断線検出部
　２２　　データ保持部
　２３−１　　出力部
　２３−２　　出力部
　２４　　内蔵電池
　２５ａ　　パルス波
　２５ｂ　　平坦波
　２６ａ　　ＯＮ信号
　２６ｂ　　ＯＦＦ信号
　３０　　警報回路
　４０　　短絡回路